(57)【要約】      （修正有）【課題】従来のボタンカバーは、デザイン等の種類が少なくユーザーの好みにあったものが見つかりにくい。【解決手段】装飾品を外部から透視できるようにして、蓋は本体の開口裏面を開閉可能であり、蓋は本体に連結されているか又は本体と別体であり、突起物に離脱可能にセットできる装着部を備えている。装飾品をその裏側から押さえる押さえ具を備え、押さえ具は蓋とは別に又は蓋と一体に蓋の内側に設けてある。爪や指先を掛けることのできる掛け部を、蓋又は押さえ具に設け、掛け部は蓋で本体の開口裏面を閉じると外周の外側に突出するように設けて、指先で手軽に外すことができるようにしてある。本体内に圧入係止可能な係止突起を押さえ具の外周縁部に形成し、押さえ具を本体から外れにくくしてある。透視窓をレンズ状にして本体の収容空間内に収容された装飾品を拡大透視できるようにしてある。【選択図】図１
0003141848.tif 000002
【実用新案登録請求の範囲】
【請求項１】
突起物（３）の外側に被せて突起物（３）を装飾する装飾カバーにおいて、本体（１）と蓋（２）を備え、本体（１）は突起物（３）に被せることができる収容空間（４）を有し、裏面（５）は開口し、収容空間（４）に収容された装飾品（６）を外部から透視可能であり、装飾品（６）は前記開口裏面（５）から収容空間（４）内に出し入れ可能であり、蓋（２）は本体（１）に回動可能に連結され又は本体（１）とは別体であって本体（１）の前記開口裏面（５）を開閉可能であり、蓋（２）に突起物（３）に離脱可能にセットできる装着部（７）を備えたことを特徴とする装飾カバー。
【請求項２】
請求項１記載の装飾カバーにおいて、収容空間（４）内に収容された装飾品（６）をその裏側から押さえる押さえ具（８）を備え、押さえ具（８）は蓋（２）と別であるか又は蓋（２）の内側に蓋（２）と一体に設けられたことを特徴とする装飾カバー。
【請求項３】
請求項１又は請求項２記載の装飾カバーにおいて、掛け部（９）が蓋（２）又は押さえ具（８）に設けられ、掛け部（９）は蓋（２）で本体（１）の開口裏面（５）を閉じると本体（１）の外周の外側に突出して爪や指先を掛けることのできるように設けられたことを特徴とする装飾カバー。
【請求項４】
請求項１ないし請求項３のいずれかに記載の装飾カバーにおいて、本体（１）内に圧入係止可能な係止突起（１０）が押さえ具（８）の外周縁部に形成されたことを特徴とする装飾カバー。
【請求項５】
請求項１ないし請求項４のいずれかに記載の装飾カバーにおいて、本体（１）が、収容空間（４）内の装飾品（６）を透視可能な透視窓（１１）を備えたことを特徴とする装飾カバー。
【請求項６】
請求項１ないし請求項５のいずれかに記載の装飾カバーにおいて、透視窓（１１）が本体（１）と一体に成型され又は本体（１）と別体に成型されて本体（１）に取付けられたことを特徴とする装飾カバー。
【請求項７】
請求項５又は請求項６記載の装飾カバーにおいて、透視窓（１１）が、本体（３）の収容空間（４）内に収容された装飾品（６）を拡大透視可能なレンズ状であることを特徴とする装飾カバー。
【考案の詳細な説明】
【技術分野】
【０００１】
本考案は、洋服や鞄等のボタン、鞄のベルトに取付けた突起等の外側に被せて、それらボタンや突起等を装飾するための装飾カバーに関するものである。
【背景技術】
【０００２】
近年、図６のように、洋服（衣類）ＡのボタンＢの上にボタンカバーＣを被せて、ボタンＢに変化を持たせ、個性を演出することが行われている。ボタンカバーＣには人造石、天然石、ビーズ等を貼り付けたり図柄を描いたりしている。
【考案の開示】
【考案が解決しようとする課題】
【０００３】
従来のボタンカバーには次のような課題があった。
（１）人造石、天然石、図柄、デザイン等の種類が少ないため、ユーザーの好みに合ったボタンカバー、個性的なボタンカバーが見つかりにくい。特に、中学生や高校生などの若者は各人独自の個性的なもの、目に付き易い奇抜なものを好む傾向が強いがそのようなものは少ない。
（２）人造石、天然石、図柄、デザイン等の変更ができないため、それらに飽きたときは別の人造石、天然石、図柄、デザインのものを購入しなければならず経済的負担が大きい。
（３）天然石を用いたものは高価であるため、異なるものを数種類購入するのは難しい。
【課題を解決するための手段】
【０００４】
本考案は、ユーザー各人が、自分の好みに合った装飾やデザインに作り上げることができる装飾カバーを提供するものである。
【０００５】
本件出願の装飾カバーは、ボタン、ベルト等に取付けた金具等の突起物３の外側に被せて突起物３を装飾する装飾カバーであり、本体１と蓋２を備えており、本体１は突起物３に被せることができる収容空間４を有し、裏面５が開口しており、収容空間４に収容された装飾品６を外部から透視可能としてある。装飾品６は大きさ、形状等を前記開口裏面５から収容空間４内に出し入れ可能にしてある。蓋２は本体１に回動可能に連結するか又は本体１と別体にしてあり、いずれの場合も本体１の前記開口裏面５を開閉可能である。蓋２には突起物３に離脱可能にセットできる装着部７を設けてある。本考案の装飾カバーは、請求項２記載のように、収容空間４内に収容された装飾品６をその裏側から押さえる押さえ具８を設け、その押さえ具８を蓋２とは別にするか又は蓋２の内側に蓋２と一体にすることができる。請求項３記載のように、蓋２又は押さえ具８に掛け部９を設け、その掛け部９を、蓋２で本体１の開口裏面５を閉じると本体１の外周の外側に突出して爪や指先を掛けることのできるように設けてある。請求項４記載のように、本体１内に圧入係止可能な係止突起１０を押さえ具８の外周縁部に形成することもできる。請求項５記載のように、本体１に収容空間４内の装飾品６を透視可能な透視窓１１を設けてある。この透視窓１１は請求項６記載のように、本体１と一体に成型することも、本体１と別体に成型したものを本体１に取付けることもできる。請求項７記載のように、本体３の収容空間４内に収容された装飾品６を拡大透視可能なレンズ状とすることもできる。
【考案の効果】
【０００６】
本願の装飾カバーは次の効果がある。
（１）本体の収容空間に装飾品を入れ替え自在であるため、ユーザーの好きなデザインの装飾品、例えば、写真、図案等を入れることにより、自分の好みの装飾カバーを製作することができ、個別化、個性化ができる。一つの装飾カバーに装飾品を入れ替えて使用できるため経済的である。収容空間を深くすれば立体的な装飾品を収容することもできる。
（２）収容空間内の装飾品が外部から透視可能であるため、装着者は勿論のこと他人からも良く見える。
（３）蓋が開閉自在であるため収容空間内への装飾品の入れ替えが容易である。
（４）蓋に洋服や鞄のボタンとかベルトの突起物等に離脱可能にセットできる装着部を備えているので、突起物への装着・取外しが容易である。
（５）収容空間内に収容された装飾品を、その裏側から押さえ具で押さえることができるので、装飾品が収容空間内で安定して位置ずれしない。
（６）指先を掛けることのできる掛け部を、本体の外周よりも外側に突出するように蓋又は押さえ具に設けたので、本体からの蓋又は押さえ具の取外しが容易になり、収容空間への装飾品の入れ替えも容易である。
（７）押さえ具に、本体へ保持可能な係止突起を設けたので、押さえ具が本体から外れにくくなり、本体の収容空間内の装飾品が安定する。
（８）蓋を本体に開閉可能に連結した場合は蓋が紛失する虞もない。
（９）本体を透視可能な材料で成型すれば、本体構造が簡潔になり、製造容易で、コスト安にもなる。
（１０）本体の透視窓を脱着可能とすれば、色やデザインの異なる透視窓を入れ替えて使用することもできる。
（１１）透視窓は装飾品を拡大可能なレンズ状であるため、装飾品の視認が容易且つ明瞭になる。
【考案を実施するための最良の形態】
【０００７】
本考案の装飾用カバーを被せる突起物３は衣類のボタンに限らず他の突起物、例えば、図５（ｂ）のように鞄のベルトＧに取付けた鍔付き金具Ｈ等にも被せることができるものであるが、以下の実施形態では突起物３がボタンＢ（図１（ａ））の場合を一例として説明してある。なお、図５（ｂ）に示す鍔付き金具Ｈはその軸部ＦがベルトＧを貫通しており、軸部Ｆの先端の鍔ＥがベルトＧの上に突出している。
【０００８】
（実施形態１）
実施形態１の装飾カバーを図１（ａ）〜（ｄ）に示す。この装飾用カバーは本体１と蓋２と装飾品６と押さえ具８を備えている。
【０００９】
本体１は図１（ａ）の周枠１２の内側に透視窓１１が接着剤とかカシメ等の適宜の固定手段で図１（ｂ）のように固定されており、周枠１２と透視窓１１の内側に収容空間４（図１（ｂ））が形成されており、本体１の周枠１２の裏面５が開口している。
【００１０】
周枠１２の形状は、図１（ａ）のリング状以外でもよく、例えばハート形、楕円形、ダイヤ形、スペード形といった所望形状とすることもできる。周枠１２の材質は、金属製以外、例えば、硬質樹脂製、木製等にすることもできる。
【００１１】
透視窓１１はガラス製、樹脂製といった各種材質製としてあり、透明とは限らず内部を透視できる程度の薄色に着色することもでき、その形状は周枠１２の形状に合わせてある。
【００１２】
収容空間４は図１（ｂ）のように装飾品６を収容でき、その裏側に押さえ具８をも押し込むことができ、更に、押さえ具８の裏側に図１（ｃ）のように、衣類Ａに取つけられているボタンＢを収容できる広さと深さにしてある。
【００１３】
装飾品６は円板状であり、その表面（透視窓側）に絵、模様、図柄、写真等が表示されている。装飾品６は本体１の開口裏面５から収容空間４内に出し入れして収容できるものであれば立体的なもの、例えば、宝石、貴金属といったものであってもよい。
【００１４】
押さえ具８は円板であり、周縁の三箇所から裏側に係止突起１０が突設されている。この押さえ具８は装飾品６の裏側から本体１の周枠１２内に圧入すると係止突起１０が周枠１２の周縁内面に圧接して周枠１２から不用意に外れず、係止突起１０を摘んで引き出すと周枠１２から外れるようにしてある。
【００１５】
蓋２はほぼ円板状であり、外周縁に連結片１３が形成されており、その連結片１３が本体１の周枠１２に開口されている連結孔１４に差し込まれて図１（ａ）の矢印Ｘ−Ｙ方向に回動可能なるように本体１の周枠１２に連結されている。
【００１６】
蓋２の中心部には洋服のボタンＢに離脱可能にセットできる装着部７が開口されている。装着部７はガイド溝７ａと保持孔７ｂを備え、ガイド溝７ａは止め糸Ｄ（図１（ｄ））が通過できる幅の細長であり、その先端部が蓋２の外周縁に開口して、その開口部７ｃから止め糸Ｄを出し入れできるようにしてある。保持孔７ｂは蓋５の中心部に円形に開口されており、ガイド溝７ａ内を通過した止め糸Ｄが進入できるようにガイド溝７ａと連通させてあり、ボタンＢの径より小さな孔径にして、ボタンＢが係止して抜けないようにしてある。
【００１７】
蓋２には二本のスリット１５が保持孔７ｂに連通して開口されている。このスリット１５は蓋２に弾力性を付与して、蓋２を外から押すと蓋２の径が縮小され、押しを解除すると径が復元できるようにするためのものである。
【００１８】
蓋２の保持孔７ｂの両外側周縁部には押し込み片１６が立ち上げられている。この押し込み片１６は、立ち上がりの根元側を多少外側膨らみにし、先端側を内側に湾曲させて肉厚方向に弾力性のあるバネ特性を持たせてある。
【００１９】
蓋２の二箇所には掛け部９が形成されている。掛け部９は指先や爪を係止できる程度の大きであり、多少上向きに湾曲させることにより、図１（ｃ）のように蓋２をボタンＢにセットしても洋服に突き刺さらないようにしてある。掛け部９の数は一或いは三以上であってもよく、その大きさ形状も他の大きさ形状であってもよく、形成箇所も蓋２の他の箇所であってもよく、場合によっては押さえ具８に設けることもできる。押さえ具８に設ける場合は、押さえ具８を本体１の収容空間４内に押し込んだ状態で、本体１の周枠１２の開口裏面５から外側に突出して、指先や爪先等を掛けることができるようにする。
【００２０】
（使用例１）
本考案の装飾カバーを使用するには、例えば、次のようにする。
（１）本体１から蓋２を開き、その蓋２のガイド溝７ａをボタンＢの止め糸Ｄ（図１（ｄ））に沿って押し込んで、止め糸Ｄを保持孔７ｂ内にガイド（導入）する。
（２）前記状態で、本体１の収容空間４内に装飾品６を入れ、その裏側から押さえ具８を圧入して装飾品６を押さえ、装飾品６を収容空間４内に保持する。
（３）前記状態で、本体１を蓋２の上に被せて、収容空間４内の押さえ具８の下にボタンＢを収容する。これにより、収容空間４内の装飾品６を、透視窓１１を通して外部から視認することができる。
（４）図１（ｃ）のようにボタンＢに被せてある装飾カバーをボタンＢから取外すときは、本体１及び蓋２を引いて、蓋２の保持孔７ｂ内の止め糸Ｄを、ガイド溝７ａを通過させて引き抜く。
（５）収容空間４内の装飾品６を入れ替えるときは、図１（ａ）のように蓋２を開き、押さえ具８を取外してから、装飾品６を取外して新しい装飾品６と入れ替え、新しい装飾品６の裏側から本体１の周枠１２内に押さえ具８を圧入して装飾品６が不用意に抜けないようにする。蓋２を開くときは、図１（ｂ）の保持状態で掛け部９に指先を掛けて外側（図１（ｂ）の矢印方向）に押すと押し込み片１６が本体１から外れて蓋２が開く。
【００２１】
（実施形態２）
本考案の実施形態２を図２に示す。この実施形態２は基本的には実施形態１と同じであり、異なるのは、蓋２に図１（ｂ）に示す掛け部９を設けてないことである。このため、本体３の開口裏面５を閉じている蓋２を開くには、蓋２のガイド溝７ａ（図１（ｂ））に爪先や指先を差し込んで蓋２を外側に開くことになる。
【００２２】
（実施形態３）
本考案の実施形態３を図３（ａ）、（ｂ）に示す。この実施形態３も基本的には実施形態１と同じであり、異なるのは、図１（ｂ）に示す掛け部９を蓋２に設けないこと、押さえ具８を蓋２の内面に設けたことである。図３（ａ）の押さえ具８は円形リング状であり、蓋２の内面から突設した脚部１７の上に取付けて、本体１の収容空間４内に収容された装飾品６を透視窓１１側に押さえることができるようにしてある。また、リング状の押さえ具８と蓋２との間にボタンＢが収容されるようにしてある。蓋２は実施形態１の場合と同様に掛け部９を設けたものであってもよい。
【００２３】
（実施形態４）
本考案の実施形態４を図４（ａ）、（ｂ）に示す。この実施形態４も基本的には実施形態１と同じであり、異なるのは、図１（ｂ）に示すように本体１の周枠１２と透視窓１１が樹脂で一体成型されたこと、掛け部９を蓋２に設けていないことであるが、掛け部９は実施形態１の場合と同様に設けることもできる。
【００２４】
（実施形態５）
前記した実施形態では、透視窓１１を凸レンズ状にして、収容空間４内に収容された装飾品６が拡大透視できるようにしてあるが、透視窓は平板状のものであっても良い。
【００２５】
（使用例２）
実施形態２〜４の装飾カバーも、実施形態１の装飾カバーと同様にしてボタンＢに被せて使用することができる。また、蓋２を開いて、収容空間４内の装飾品６を入れ替えることもできる。
【００２６】
本考案の装飾カバーは、ズボン用のベルト、ショルダー式鞄のベルト、携帯電話などの各種携帯機器のストラップ（これらを纏めてベルトという）Ｇ（図５（ａ）、（ｂ））に取付けた突起物３に被せて使用することもできる。これら突起物３への装着、取外しも、使用例１の場合と同様である。
【産業上の利用可能性】
【００２７】
本考案の装飾用カバーは装飾用として各種分野、例えば、身廻り品、身飾り品、室内装飾品、インテリア製品等にも利用可能であり、いずれの場合も、既存の又は新設の突起物に被せたり取外したりして使用することができる。
【図面の簡単な説明】
【００２８】
【図１】本考案の装飾用カバーの実施形態１であり、（ａ）はその分解説明図、（ｂ）は本体を閉じた状態の縦断側面図、（ｃ）は装飾用カバーをボタンに装着した状態の斜視図、（ｄ）は衣類にボタンを取付けた状態の側面図。
【図２】本考案の装飾用カバーの実施形態２であり、蓋に掛け部を設けない場合の実施形態の分解説明図。
【図３】本考案の装飾用カバーの実施形態３であり、（ａ）は押さえ具を蓋に一体に設けた場合の分解説明図、（ｂ）は本体を閉じた状態の縦断側面図。
【図４】本考案の装飾用カバーの実施形態４であり、（ａ）は透視窓を本体と一体成型した場合の分解説明図、（ｂ）は本体を閉じた状態の縦断側面図。
【図５】本考案の装飾用カバーをベルトに取付けた突起物に被せる場合の実施形態であり、（ａ）は使用説明図、（ｂ）はベルトに鍔付き金具を取付けた状態の側面図。
【図６】従来の装飾用カバーの本体を開いた場合の説明図。
【符号の説明】
【００２９】
１  本体
２  蓋
３  突起物
４  収容空間
５  裏面
６  装飾品
７  装着部
７ａ  ガイド溝
７ｂ  保持孔
７ｃ  開口部
８  押さえ具
９  掛け部
１０  係止突起
１１  透視窓
１２  周枠
１３  連結片
１４  連結孔
１５  スリット
１６  押し込み片
１７  脚部
Ａ  洋服（衣料）
Ｂ  ボタン
Ｃ  ボタンカバー
Ｄ  止め糸
Ｅ  鍔
Ｆ  軸部
Ｇ  ベルト
Ｈ  鍔付き金具
【図１】
0003141848.tif 000003
【図２】
0003141848.tif 000004
【図３】
0003141848.tif 000005
【図４】
0003141848.tif 000006
【図５】
0003141848.tif 000007
【図６】
0003141848.tif 000008